(57)【要約】【課題】主に各種電子機器の操作に使用される導光シート及びこれを用いた可動接点体に関し、発光色の混合やばらつきがなく、多様な照光が可能なものを提供することを目的とする。【解決手段】凹凸状の複数の発光部２が形成された基材１の上面または下面に、所定波長以外の可視光を吸収する吸収部１５を設けて導光シート１６を構成することによって、所望の発光部２を所望の発光色のみで発光させることができるため、複数の発光部２間の発光色の混合やばらつきがなく、多様な照光が可能な導光シート１６、及びこれを用いた可動接点体１９を得ることができる。【選択図】図１
2010192280.tif 000002
【特許請求の範囲】
【請求項１】
フィルム状の基材と、この基材に形成された凹凸状の複数の発光部からなり、上記発光部が形成された上記基材の上面または下面に、所定波長以外の可視光を吸収する吸収部を設けた導光シート。
【請求項２】
吸収部に代えて、発光部を所定波長以外の可視光を吸収するように形成した請求項１記載の導光シート。
【請求項３】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、使い易く多様な照光を行えるものが求められている。
【０００３】
このような従来の導光シートや可動接点体について、図６及び図７を用いて説明する。
【０００４】
なお、これらの図面は構成を判り易くするために、部分的に寸法を拡大して表している。
【０００５】
図６は従来のスイッチの断面図、図７は同平面図であり、同図において、１は光透過性でフィルム状の基材、２は凹凸状の発光部で、基材１下面の所定箇所に複数の発光部２Ａや２Ｂ等が設けられて、導光シート３が形成されている。
【０００６】
また、４はフィルム状のベースシート、５は略ドーム状で導電金属薄板製の可動接点で、ベースシート４外周の所定箇所が、接着剤（図示せず）によって導光シート３下面に貼付されると共に、複数の可動接点５が発光部２下方のベースシート４下面に貼付されて、可動接点体６が構成されている。
【０００７】
さらに、７は上下面に複数の配線パターン（図示せず）が形成された配線基板で、上面には略円形状の中央固定接点８Ａと、これを囲む略馬蹄状または略リング状の外側固定接点８Ｂから形成された、複数の固定接点８が設けられている。
【０００８】
そして、この配線基板７上面に可動接点体６が、各々の可動接点５の外周が外側固定接点８Ｂ上に載置され、可動接点５の下面中央が中央固定接点８Ａと所定の間隙を空けて、対向するように貼付されている。
【０００９】
また、９は発光ダイオード等の発光素子で、複数の発光素子９Ａや９Ｂが導光シート３側方の配線基板７上面に実装され、基材１の端面に発光面を向けて配置されている。
【００１０】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート３の発光部２上方に配置されて、スイッチが構成されている。
【００１１】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００１２】
以上の構成において、表示シート１０の所定の表示部１０Ｂを下方へ押圧操作すると、この下方の導光シート３やベースシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００１３】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００１４】
そして、このような固定接点８の電気的接離に応じて、機器の各機能の切換えが行われると共に、機器の電子回路から発光素子９に電源が供給されると、複数の発光素子９Ａや９Ｂが発光し、この光が端面から導光シート３内に入射して、基材１内を反射しながら内方へ進む。
【００１５】
さらに、この光が基材１下面の複数の発光部２Ａや２Ｂ等で拡散され反射して、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００１６】
つまり、表示シート１０を押圧操作することによって導光シート３上面を押圧し、可動接点５を弾性反転させて固定接点８の電気的接離を行うと共に、発光素子９の光を端面から導光シート３内に導入し、複数の発光部２を発光させることによって、表示シート１０の複数の表示部１０Ｂを照光するように構成されている。
【００１７】
なお、この時、発光素子９Ａと９Ｂの発光色が異なる場合、例えば、発光素子９Ａが赤色の発光色で発光素子９Ｂが青色の場合、発光素子９Ａのみを発光させて発光部２Ａの箇所のみを照光しようとしても、この赤色の光が基材１内を通って発光部２Ｃや２Ｂでも反射し、発光部２Ａに比べ暗い発光色ではあるが、これらの発光部２Ｃや２Ｂも発光してしまう。
【００１８】
また、発光素子９Ａと９Ｂの両方を発光させた場合には、発光素子９Ａによって発光部２Ａが赤色に、発光素子９Ｂによって発光部２Ｂが青色に各々発光するが、同時に、発光部２Ｃ及び発光部２Ａの左側や発光部２Ｂの右側は、発光素子９Ａの赤色と発光素子９Ｂの青色が混ざった、紫色の発光色で発光してしまう。
【００１９】
このため、基材１の発光部２Ａと２Ｃの間、あるいは発光部２Ｃと２Ｂの間等に切欠部を設け、この空隙によって発光素子９Ａや９Ｂの光を遮断することが行われているが、複数の発光部の発光色の混合や、明るさのばらつきを完全に防ぐことは困難なものであった。
【００２０】
なお、この出願の発明に関連する先行技術文献情報としては、例えば、特許文献１が知られている。
【特許文献１】特開２００８−３０５６５５号公報
【発明の開示】
【発明が解決しようとする課題】
【００２１】
しかしながら、上記従来の可動接点体６やスイッチにおいては、導光シート３の複数の発光部を異なる色で発光させようとした場合、複数の発光部間に発光色の混合や、明るさのばらつきが生じてしまい、多様な照光を行うことが困難であるという課題があった。
【００２２】
本発明は、このような従来の課題を解決するものであり、発光色の混合やばらつきを防ぎ、多様な照光が可能な導光シート及びこれを用いた可動接点体を提供することを目的とする。
【課題を解決するための手段】
【００２３】
上記目的を達成するために本発明は、以下の構成を有するものである。
【００２４】
本発明の請求項１に記載の発明は、凹凸状の複数の発光部が形成された基材の上面または下面に、所定波長以外の可視光を吸収する吸収部を設けて導光シートを構成したものであり、発光部に形成された吸収部によって、所望の発光部を所望の発光色のみで発光させることができるため、複数の発光部間の発光色の混合やばらつきがなく、多様な照光が可能な導光シートを得ることができるという作用を有する。
【００２５】
請求項２に記載の発明は、請求項１記載の発明において、吸収部に代えて、発光部を所定波長以外の可視光を吸収するように形成したものであり、印刷等によって吸収部を形成する必要がないため、導光シートを安価に形成することができるという作用を有する。
【００２６】
請求項３に記載の発明は、請求項１記載の導光シートの発光部下面に、略ドーム状で導電金属薄板製の可動接点を装着して可動接点体を構成したものであり、発光色の混合やばらつきを防ぎ、多様な照光が可能なスイッチを実現することができるという作用を有する。
【発明の効果】
【００２７】
以上のように本発明によれば、発光色の混合やばらつきを防ぎ、多様な照光が可能な導光シート及びこれを用いた可動接点体を実現することができるという有利な効果が得られる。
【発明を実施するための最良の形態】
【００２８】
以下、本発明の実施の形態について、図１〜図５を用いて説明する。
【００２９】
なお、これらの図面は構成を判り易くするために、部分的に寸法を拡大して表している。
【００３０】
また、背景技術の項で説明した構成と同一構成の部分には同一符号を付して、詳細な説明を簡略化する。
【００３１】
（実施の形態）
図１は本発明の一実施の形態による可動接点体の断面図、図２は同平面図であり、同図において、１はフィルム状でポリウレタンやシリコーン、スチレン等の可撓性を有する光透過性の基材で、この基材１下面の所定箇所には印刷等によって複数の吸収部１５と、凹凸状でポリエステルやエポキシ等の白色や乳白色等の複数の発光部２Ａや２Ｂ等がドット状に形成されて、導光シート１６が構成されている。
【００３２】
そして、この吸収部１５は所定波長以外の可視光を吸収するように形成され、例えば吸収部１５Ａは波長４００〜６００ｎｍ前後の可視光を吸収するナフトールやフラボノイド、カロテノイド等の、吸収部１５Ｂは波長５００〜８００ｎｍ前後の可視光を吸収するフタロシアニンやインジゴ、アンスラキノン、紺青等の、吸収部１５Ｃは波長４８０〜５８０ｎｍ前後以外の可視光を吸収するポルフィリンやカルコン等の、染料を分散したポリエステルやエポキシ等から各々形成されている。
【００３３】
なお、このような導光シート１６の製作は、基材１下面に複数の吸収部１５を印刷形成し乾燥した後、この吸収部１５に複数の発光部２を重ねて印刷形成することで、比較的短時間で簡易に製作することができる。
【００３４】
また、４はフィルム状でポリエチレンテレフタレート等のベースシート、５は略ドーム状で銅合金や鋼等の導電金属薄板製の可動接点で、ベースシート４外周の所定箇所が、アクリルやシリコーン等の接着剤１７によって導光シート１６下面に貼付されると共に、複数の可動接点５が発光部２下方のベースシート４下面に貼付されている。
【００３５】
さらに、１８はポリエチレンテレフタレート等のフィルム状のセパレータで、このセパレータ１８がベースシート４下面全面を覆うように貼付され、保管・搬送時に可動接点５下面に塵埃等が付着しないようにして、可動接点体１９が構成されている。
【００３６】
また、図３はこのような可動接点体１９を用いたスイッチの断面図であり、同図において、７はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点８Ａと、これを囲む略馬蹄状または略リング状の外側固定接点８Ｂから形成された、複数の固定接点８が設けられている。
【００３７】
そして、この配線基板７上面にセパレータ１８を剥離した可動接点体１９が、各々の可動接点５の外周が外側固定接点８Ｂ上に載置され、可動接点５の下面中央が中央固定接点８Ａと所定の間隙を空けて、対向するように貼付されている。
【００３８】
また、９は発光ダイオード等の発光素子で、複数の発光素子９が導光シート１６側方の配線基板７上面に実装され、例えば図２に示すように、発光素子９Ａが発光部２Ａの右側方、発光素子９Ｂが発光部２Ｂの左側方、発光素子９Ｃが発光部２Ｃの上側方に、基材１端面に発光面を向けて配置されている。
【００３９】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート１６の発光部２上方に配置されて、スイッチが構成されている。
【００４０】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００４１】
以上の構成において、表示シート１０の所定の表示部１０Ｂを下方へ押圧操作すると、この下方の導光シート１６やベースシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００４２】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００４３】
そして、このような固定接点８の電気的接離に応じて、機器の各機能の切換えが行われると共に、機器の電子回路から発光素子９に電源が供給されると、複数の発光素子９Ａや９Ｂ、９Ｃ等が発光し、この光が端面から導光シート１６内に入射して、基材１内を反射しながら内方へ進む。
【００４４】
さらに、この光が基材１下面の複数の吸収部１５を通って、発光部２Ａや２Ｂ、２Ｃ等で拡散され反射して、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００４５】
つまり、表示シート１０を押圧操作することによって導光シート１６上面を押圧し、可動接点５を弾性反転させて固定接点８の電気的接離を行うと共に、発光素子９の光を端面から導光シート１６内に導入し、複数の発光部２を発光させることによって、表示シート１０の複数の表示部１０Ｂを照光するように構成されている。
【００４６】
そして、このような照光を行う際、発光素子９Ａや９Ｂ、９Ｃの発光色が異なり、例えば図２において、発光素子９Ａが波長６８０ｎｍ前後の赤色の発光色で、発光素子９Ｂが波長４６０ｎｍ前後の青色、発光素子９Ｃが波長５４０ｎｍ前後の緑色で、発光素子９Ａのみを発光させた場合、この光が基材１から下面の複数の波長４００〜６００ｎｍ前後の青色や緑色の可視光を吸収する吸収部１５Ａを通って、発光部２Ａで拡散されて反射し、この上方の表示シート１０の表示部１０Ｂを下方から赤色に照光する。
【００４７】
なお、この右側方からの赤色の光は基材１内を反射しながら、さらに左方へ進み、吸収部１５Ｃや１５Ｂにも入射するが、吸収部１５Ｃは波長４８０〜５８０ｎｍ前後以外の赤色や青色の可視光、吸収部１５Ｂは波長５００〜８００ｎｍ前後の赤色や緑色の可視光を吸収するように形成されているため、発光素子９Ａの波長６８０ｎｍ前後の赤色光は吸収部１５Ｃや１５Ｂに吸収され、発光部２Ｃや２Ｂでは反射しない。
【００４８】
すなわち、赤色の発光素子９Ａのみを発光させた場合、発光部２Ａは赤色に発光し、この上方の表示部１０Ｂは赤色に照光されるが、発光部２Ｃや２Ｂは発光しないため、この上方の表示部１０Ｂの照光は行われない。
【００４９】
また、青色の発光素子９Ｂのみが発光した場合には、この光が吸収部１５Ｂを通って発光部２Ｂで拡散され反射し、この上方の表示部１０Ｂが青色に照光されるが、赤色や青色の可視光を吸収する吸収部１５Ｃや、青色や緑色を吸収する吸収部１５Ａはこの青色光を吸収するため、発光部２Ｃや２Ａは発光せず、これらの上方の表示部１０Ｂは照光されない。
【００５０】
同様に、緑色の発光素子９Ｃのみが発光した場合にも、この緑色光は吸収部１５Ｃを通って発光部２Ｃで反射し、この上方の表示部１０Ｂは緑色に照光されるが、吸収部１５Ａや１５Ｂはこの光を吸収するため、発光部２Ａや２Ｂは発光しない。
【００５１】
つまり、発光部２Ａや２Ｂ、２Ｃが形成された基材１の下面に、所定波長の可視光のみを通し、それ以外の可視光を吸収する吸収部１５Ａや１５Ｂ、１５Ｃを設けることによって、発光色の異なる発光素子９Ａまたは９Ｂ、９Ｃのいずれかのみを発光させた場合には、この光を吸収しない吸収部１５が形成された発光部２のみが発光し、他の吸収部１５が形成された発光部２は発光しないため、所望の発光部２のみをばらつきのない明るさで、所望の発光色で発光させることができるように構成されている。
【００５２】
さらに、発光素子９Ａと９Ｂの両方を同時に発光させた場合には、発光素子９Ａの赤色光が吸収部１５Ａを通って発光部２Ａは赤色に発光し、発光素子９Ｂの青色光が吸収部１５Ｂを通って発光部２Ｂは青色に発光する。
【００５３】
そして、これらの光は基材１内から赤色光が吸収部１５Ｂに、青色光が吸収部１５Ａにも各々入射するが、吸収部１５Ａは赤色光以外の可視光を、吸収部１５Ｂは青色光以外の可視光を各々吸収するため、発光部２Ａの左側や発光部２Ｂの右側が赤色と青色が混ざった、紫色の発光色で発光することはない。
【００５４】
また、この時、発光部２Ａと２Ｂの間の発光部２Ｃには、赤色も青色も吸収する吸収部１５Ｃが設けられているため、この吸収部１５Ｃによって発光素子９Ａの赤色光も発光素子９Ｂの青色光も吸収され、発光部２Ｃがこれらの発光色が混合された紫色に発光することもない。
【００５５】
なお、発光素子９Ａと９Ｂに加え、緑色の発光色の発光素子９Ｃも同時に発光させた場合にも、上記と同様に、各々の発光素子の発光色が混ざることはなく、発光部２Ａは発光素子９Ａの赤色光によって赤色に、発光部２Ｂは発光素子９Ｂの青色光によって青色に、発光部２Ｃは発光素子９Ｃの緑色光によって緑色に、各々均一な発光色で発光する。
【００５６】
つまり、発光色の異なる複数の発光素子９Ａや９Ｂ、９Ｃを同時に発光させた場合にも、各々の発光部２に形成された吸収部１５によって、これらの光が混合された発光色で発光することなく、所望の発光部２を所望の発光色で発光させることが可能なようになっている。
【００５７】
なお、以上の説明では、基材１下面に複数の吸収部１５と発光部２を重ねて、導光シート１６を形成した構成について説明したが、図４（ａ）の断面図に示すように、基材１上面に複数の吸収部１５を設け、この下方の基材１下面に発光部２を形成した構成や、図４（ｂ）に示すように、基材１上面に複数の発光部２を形成した後、これらを覆うように複数の吸収部１５を設けた構成としてもよい。
【００５８】
また、図５の断面図に示すように、吸収部に代えて、上述したような染料を分散したポリエステルやエポキシ等によって、吸収する可視光が異なる凹凸状の複数の発光部２０Ａや２０Ｂ等を基材１下面に設けた構成とすれば、上記のように基材１の上面や下面に、吸収部１５と発光部２の両方を印刷形成したものに比べ、吸収部が不要となり１回の印刷ですむため、導光シートを安価に形成することができる。
【００５９】
このように本実施の形態によれば、凹凸状の複数の発光部２が形成された基材１の上面または下面に、所定波長以外の可視光を吸収する吸収部１５を設けて導光シート１６を構成することによって、所望の発光部２を所望の発光色のみで発光させることができるため、複数の発光部２間の発光色の混合やばらつきがなく、多様な照光が可能な導光シート１６、及びこれを用いた可動接点体１９を得ることができるものである。
【００６０】
また、吸収部に代えて、発光部２０Ａや２０Ｂ等を所定波長以外の可視光を吸収するように形成することによって、印刷等によって吸収部を形成する必要がないため、導光シートを安価に形成することができる。
【００６１】
なお、以上の説明では、印刷によって凹凸状の複数の発光部２を形成した構成について説明したが、印刷以外にも貼付やインクジェット、レーザ加工、プレス加工、成形加工等、様々な方法によっても発光部２の形成は可能である。
【００６２】
さらに、以上の説明では、下面に複数の可動接点５が貼付されたベースシート４を、導光シート１６の下面に貼付した構成について説明したが、ベースシート４をなくし、導光シート１６の発光部２下面に複数の可動接点５を直接貼付した構成とすれば、全体の構成部品数を減らし、可動接点体をより簡易で安価なものとすることができる。
【産業上の利用可能性】
【００６３】
本発明による導光シート及びこれを用いた可動接点体は、発光色の混合やばらつきがなく、多様な照光が可能なものが得られ、主に各種電子機器の操作用として有用である。
【図面の簡単な説明】
【００６４】
【図１】本発明の一実施の形態による可動接点体の断面図
【図２】同平面図
【図３】同スイッチの断面図
【図４】同他の実施の形態による導光シートの断面図
【図５】同断面図
【図６】従来のスイッチの断面図
【図７】同平面図
【符号の説明】
【００６５】
１  基材
２、２Ａ、２Ｂ、２Ｃ、２０Ａ、２０Ｂ  発光部
４  ベースシート
５  可動接点
７  配線基板
８  固定接点
８Ａ  中央固定接点
８Ｂ  外側固定接点
９、９Ａ、９Ｂ、９Ｃ  発光素子
１０  表示シート
１０Ａ  遮光部
１０Ｂ  表示部
１５、１５Ａ、１５Ｂ、１５Ｃ  吸収部
１６  導光シート
１７  接着剤
１８  セパレータ
１９  可動接点体
【図１】
2010192280.tif 000003
【図２】
2010192280.tif 000004
【図３】
2010192280.tif 000005
【図４】
2010192280.tif 000006
【図５】
2010192280.tif 000007
【図６】
2010192280.tif 000008
【図７】
2010192280.tif 000009